(57)【要約】【課題】容器内に液体を満たした状態で搬送するときでも作業者に苦痛を与えることなくかつ液体を零さずに搬送することが可能であり、また作業者がグリップから手を離したときでもグリップが取っ手から外れて容器内の液体中などに落下したり紛失したりするのを未然に防止し得る着脱式グリップを提供する。【解決手段】着脱式グリップ１０は、針金からなるアーチ状の取っ手３を有する容器に用いられる。このグリップ１０は、正面視が水平に細長く延びた形状でかつ縦断面がＵ字状に形成され、取っ手の水平な頂部３ａが嵌り込み可能な握り部１１と、握り部の両端から各々下方に張り出す半漏斗形状に形成され、取っ手の頂部近傍の湾曲部３ｂを挟んで回り止めを行う一対の下がり部１２と、握り部の長手方向の互いに異なる少なくとも２個所に各々形成され、握り部内に嵌め込まれた取っ手の頂部と抜け止め状態に係合する係合部１３，１４とを備える。【選択図】図２
2012218770.tif 000002
【特許請求の範囲】
【請求項１】
針金からなるアーチ状の取っ手を有する容器に用いる着脱式グリップであって、
正面視が水平に細長く延びた形状でかつ縦断面がＵ字状に形成され、上記取っ手の水平な頂部が嵌り込み可能な握り部と、
この握り部の両端からそれぞれ下方に張り出す半漏斗形状に形成され、上記取っ手の頂部近傍の湾曲部を挟んで回り止めを行う一対の下がり部と、
上記握り部の長手方向の互いに異なる少なくとも２個所にそれぞれ形成され、握り部内に嵌め込まれた取っ手の頂部と抜け止め状態に係合する係合部とを備えたことを特徴とする着脱式グリップ。
【請求項２】
上記係合部は、握り部の内側を長手方向に仕切る仕切壁に対し上方に開放する係合溝を形成したものであり、この係合部の係合溝は、開放側に溝幅が他の部位より小さい絞り部を有し、この絞り部での溝幅は、取っ手を構成する針金の直径よりも小さく設定されており、上記仕切壁の上縁には、係合溝の絞り部に近付くに従って下向きに傾斜する一対の傾斜縁が形成されている請求項１記載の着脱式グリップ。
【請求項３】
上記握り部の内側には、上記係合部と異なる位置に補強用の仕切壁が形成され、この仕切壁には、握り部内に嵌め込まれた取っ手の頂部との干渉を避けるための溝が形成されている請求項１又は２記載の着脱式グリップ。
【発明の詳細な説明】
【技術分野】
【０００１】
本発明は、針金からなるアーチ状の取っ手を有するペール缶などの容器に用いる着脱式グリップに関する。
【背景技術】
【０００２】
従来、ペール缶と称される容器として、例えば特許文献１に開示されているように、有底円筒状の容器本体と、この容器本体の上縁部に両端が回動可能に取り付けられた針金からなるアーチ状の取っ手（つる又は提げ手などともいう）とからなるものは知られている。また、取っ手の頂部に樹脂製や木製などのグリップを設けたものも知られている（特許文献２参照）。
【０００３】
しかしながら、前者のものでは、容器本体内に液体を満たした状態で搬送するときなどに取っ手が作業者の手に食い込んで作業者に苦痛を与え易いという欠点がある。一方、後者のものでは、部品点数の増加によりコストが高くなるとともに、解体時に取っ手とグリップの分離が必要になるなどの欠点がある。
【０００４】
そこで、前者のものに対し、特許文献３に記載の持運び用持手又は特許文献４に記載の補助取手具を用いることが考えられる。この場合、容器本体内に液体を満たした状態で搬送するときでも作業者に苦痛を与えることはない。また、容器毎に持運び用持手又は補助取手具を必要とするものではないので、容器の部品点数の増加ないしコストアップを招くことはなく、その上、容器の解体を容易に行うことができるという利点がある。
【先行技術文献】
【特許文献】
【０００５】
【特許文献１】特開２００６−２７３３６３号公報
【特許文献２】登録実用新案第３１１２６２３号公報
【特許文献３】実開平５−４２２０９号公報
【特許文献４】実用新案登録第２５３５６６０号公報
【発明の概要】
【発明が解決しようとする課題】
【０００６】
ところが、上述の如き持運び用持手又は補助取手具を用いた場合、取っ手が容器本体に対し揺動するだけでなく、この取っ手に装着した持運び用持手又は補助取手具が取っ手に対し揺動するため、搬送時に容器本体が非常に不安定なものになり、液体を零さずに搬送することが難しいという問題がある。また、搬送途中又は搬送後に作業者が持運び用持手又は補助取手具から手を離すとこの持運び用持具又は補助取手具が取っ手から外れて容器本体の液体中などに落下したり、紛失したりするという問題もある。
【０００７】
本発明はかかる点に鑑みてなされたものであり、その課題とするところは、容器の取っ手に装着して使用する着脱式グリップにおいて、取っ手への装着状態で揺動ないし回動が規制されかつ容易に外れない構造を採ることにより、容器内に液体を満たした状態で搬送するときでも作業者に苦痛を与えることがなく、また液体を零さずに搬送することが可能であり、その上、搬送途中又は搬送後に作業者がグリップから手を離したときでもグリップが取っ手から外れて容器内の液体中などに落下したり紛失したりするのを未然に防止し得る着脱式グリップを提供せんとするものである。
【課題を解決するための手段】
【０００８】
上記の課題を解決するため、請求項１に係る発明は、針金からなるアーチ状の取っ手を有する容器に用いる着脱式グリップとして、正面視が水平に細長く延びた形状でかつ縦断面がＵ字状に形成され、上記取っ手の水平な頂部が嵌り込み可能な握り部と、この握り部の両端からそれぞれ下方に張り出す半漏斗形状に形成され、上記取っ手の頂部近傍の湾曲部を挟んで回り止めを行う一対の下がり部と、上記握り部の長手方向の互いに異なる少なくとも２個所にそれぞれ形成され、握り部内に嵌め込まれた取っ手の頂部と抜け止め状態に係合する係合部とを備える構成にする。
【０００９】
この構成では、着脱式グリップが容器の取っ手に装着されるとき、着脱式グリップの握り部内に取っ手の頂部が嵌め込まれ、この握り部の２個所以上に形成した係合部がそれぞれ取っ手の頂部と抜け止め状態に係合するとともに、着脱式グリップの握り部両端の一対の下がり部がそれぞれ取っ手の頂部近傍の湾曲部を挟んで回り止めを行う。このため、容器内に液体を満たした状態で搬送するときでも作業者が上記着脱式グリップの握り部を手で握って搬送すれば苦痛を感じることなく容易に搬送することができる。また、着脱式グリップが取っ手に装着された状態のまま揺動ないし回動することはなく、容器内の液体を零さずに搬送することができる。その上、搬送途中又は搬送後に作業者がグリップから手を離したときでもグリップが取っ手から外れることはなく、グリップが容器内の液体中などに落下したり紛失したりすることもない。
【００１０】
請求項２に係る発明は、請求項１記載の着脱式グリップにおいて、上記係合部の好ましい形態を提供するものである。すなわち、上記係合部は、握り部の内側を長手方向に仕切る仕切壁に対し上方に開放する係合溝を形成したものであり、この係合部の係合溝は、開放側に溝幅が他の部位より小さい絞り部を有し、この絞り部での溝幅は、取っ手を構成する針金の直径よりも小さく設定されており、上記仕切壁の上縁には、係合溝の絞り部に近付くに従って下向きに傾斜する一対の傾斜縁が形成されている構成にする。
【００１１】
この構成では、着脱式グリップの係合部が握り部の内側を仕切る仕切壁に形成した係合溝からなり、この係合溝は、その上方の開放側に溝幅が他の部位より小さい絞り部を有し、この絞り部での溝幅は、取っ手を構成する針金の直径よりも小さく設定されているため、係合溝に取っ手を嵌め込んで取り付けられた着脱式グリップが自然に取っ手から外れることはない反面、作業者が着脱式グリップを取っ手から外すときにはそれ程大きな力でなくても容易に取り外すことができる。その上、仕切壁の上縁に、係合溝の絞り部に近付くに従って下向きに傾斜する一対の傾斜縁が形成されているため、着脱式グリップの係合部である係合溝に取っ手を嵌め込んでグリップの装着を行うとき上記一対の傾斜縁がガイド機能を発揮して係合溝に対する取っ手の嵌め込みひいてはグリップの装着を円滑に行うことができる。
【００１２】
請求項３に係る発明は、請求項１又は２記載の着脱式グリップにおいて、上記握り部の内側で上記係合部と異なる位置に補強用の仕切壁を形成し、この仕切壁に、握り部内に嵌め込まれた取っ手の頂部との干渉を避けるための溝を形成する構成にする。この構成では、握り部の内側に形成した補強用の仕切壁によって握り部の強度を高められることができる。しかも、この補強用仕切壁に形成した溝により握り部内に嵌め込まれた取っ手の頂部との干渉が回避されるため、補強用仕切壁が係合部での取っ手との係合などに悪影響を及ぼすことはない。
【発明の効果】
【００１３】
以上のように、本発明の着脱式グリップによれば、譬え容器内に液体を満たした状態で搬送するときでも作業者が着脱式グリップを容器の取っ手に装着し、その握り部を手で握って搬送すれば苦痛を感じることなく容易に搬送することができる上、着脱式グリップが取っ手に装着された状態のまま揺動ないし回動することはないので、容器内の液体を零さずに搬送することができる。また、搬送途中又は搬送後に作業者がグリップから手を離したときでもグリップが取っ手から外れることがないので、グリップが容器内の液体中などに落下したり紛失したりすることがなく、実用性に優れた効果を奏するものである。
【００１４】
特に、請求項２に係る発明では、容器の取っ手に装着した着脱式グリップが自然に取っ手から外れることはない反面、作業者が着脱式グリップを取っ手から外すときにはそれ程大きな力でなくても容易に取り外すことができる。その上、仕切壁の上縁に、係合溝の絞り部に近付くに従って下向きに傾斜する一対の傾斜縁が形成されているため、着脱式グリップの係合部である係合溝に取っ手を嵌め込んでグリップの装着を行うとき上記一対の傾斜縁がガイド機能を発揮して係合溝に対する取っ手の嵌め込みひいてはグリップの装着を円滑に行うことができるという効果をも奏する。
【００１５】
また、請求項３に係る発明では、握り部の内側に形成した補強用の仕切壁によって握り部の強度を高められることができる上、この補強用仕切壁に形成した溝により握り部内に嵌め込まれた取っ手の頂部との干渉が回避されるため、補強用仕切壁が係合部での取っ手との係合などに悪影響を及ぼすことはなく、実施化を図る上で有効なものである。
【図面の簡単な説明】
【００１６】
【図１】図１は本発明の第１の実施形態に係る着脱式グリップを装着したペール缶の正面図である。
【図２】図２は上記着脱式グリップをペール缶の取っ手に装着する状態を示す斜視図である。
【図３】図３は上記着脱式グリップの上面側の斜視図である。
【図４】図４は同じく着脱式グリップの底面側の斜視図である。
【図５】図５は同じく着脱式グリップを示し、（ａ）は平面図、（ｂ）は正面図、（ｃ）は底面図である。
【図６】図６は同じく着脱式グリップの拡大側面図である。
【図７】図７は図５（ａ）のＸ−Ｘ線における拡大断面図である。
【図８】図８は本発明の第２の実施形態を示す図３相当図である。
【図９】図９は同じく図４相当図である。
【図１０】図１０は着脱式グリップの平面図である。
【図１１】図１１は図１０のＹ−Ｙ線における断面図である。
【図１２】図１２は図６相当図である。
【図１３】図１３は図１１のＺ−Ｚ線における拡大断面図である。
【発明を実施するための形態】
【００１７】
以下、本発明を実施するための形態である実施形態を図面に基づいて説明する。
【００１８】
図１において、１は容器としてのペール缶であり、このペール缶１は、有底円筒状の缶本体２と、この缶本体２の上方開口を跨ぐように両端がそれぞれ缶本体２の上縁部に回動可能に取り付けられた針金からなるアーチ状の取っ手３とを有してなる。取っ手３の頂部３ａは、図２に詳示するように水平に形成されており、この取っ手３の頂部３ａには、本発明の第１の実施形態に係る着脱式グリップ１０が着脱可能に装着されている。
【００１９】
上記着脱式グリップ１０は、全体が合成樹脂からなるものであって、図３ないし図７に詳示するように、正面視が水平に細長く延びた形状（詳しくは下縁が水平で上縁が中心線上で最も高い円弧状をした形状）でかつ縦断面がＵ字状に形成され、上記取っ手３の頂部３ａが嵌り込み可能な握り部１１と、この握り部１１の両端からそれぞれ下方に張り出す半漏斗形状に形成され、上記取っ手３の頂部３ａ近傍の湾曲部３ｂを各々左右の側壁１２ａ，１２ａ間に挟んで回り止めを行う一対の下がり部１２，１２と、上記握り部１１の長手方向の互いに異なる２個所にそれぞれ２つずつ計４つ形成され、握り部１１内に嵌め込まれた取っ手３の頂部３ａと抜け止め状態に係合する係合部１３，１４とを備えている。
【００２０】
上記各係合部１３，１４は、握り部１１の内側を長手方向に仕切る仕切壁１３ａ，１４ａに対し上方に開放する係合溝１３ｂ，１４ｂを形成したものであり、この各係合部１３，１４の係合溝１３ｂ，１４ｂは、開放側に溝幅が他の部位より小さい絞り部１３ｃ，１４ｃを有している。この絞り部１３ｃ，１４ｃでの溝幅Ｂは、取っ手３を構成する針金の直径Ｄよりも若干小さく（Ｂ＜Ｄ）設定されている。各係合部１３，１４の仕切壁１３ａ，１４ａの上縁には、それぞれ係合溝１３ｂ，１４ｂの絞り部１３ｃ，１４ｃに近付くに従って下向きに傾斜する一対の傾斜縁１３ｄ，１３ｄ又は１４ｄ，１４ｄが形成されている。ここで、握り部１１の１個所に互いに隣接して形成された２つの係合部１３，１４は、それぞれ仕切壁１３ａ，１４ａの上縁が握り部１１の上縁と同一の高さにまで形成されているが、握り部１１の上縁が中心線上で最も高い円弧状に形成されていることから、図６に示す如く握り部１１の中心線に近い側の係合部１４の仕切壁１４ａの上縁が遠い側の係合部１３の仕切壁１３ａの上縁よりも高くなっている。
【００２１】
上記握り部１１の内側には、上記２個所の係合部同士（詳しくは握り部１１の中心線に近い側の係合部１４，１４同士）の間に略等間隔に３つの補強用の仕切壁１５，１６，１５が形成され、この各仕切壁１５，１６には、それぞれ握り部１１内に嵌め込まれた取っ手３の頂部３ａとの干渉を避けるためのＵ字状溝１７が形成されているとともに、各仕切壁１５，１６の上縁には、それぞれＵ字状溝１７に近付くに従って下向きに傾斜する一対の傾斜縁１８，１８が形成されている。ここで、各仕切壁１５，１６の上縁は握り部１１の上縁と同一の高さにまで形成されているが、握り部１１の上縁が中心線上で最も高い円弧状に形成されていることから、図６に示す如く握り部１１の中心線上に位置する仕切壁１６の上縁がその両側に位置する仕切壁１５の上縁よりも高くなっている。尚、図３、図５（ａ）及び図７中、２１は握り部１１の底面内側にその長手方向に延びて形成された一条の補強用凸部である。
【００２２】
次に、上記着脱式グリップ１０の作用効果を説明するに、着脱式グリップ１０がペール缶１の取っ手３に装着されるときには、着脱式グリップ１０の握り部１１内に取っ手３の頂部３ａが嵌め込まれ、この握り部１１の２個所に２つずつ計４つ形成した係合部１３，１３，１４，１４がそれぞれ取っ手３の頂部３ａと抜け止め状態に係合するとともに、着脱式グリップ１０の握り部１１両端の一対の下がり部１２，１２がそれぞれ左右の側壁１２ａ，１２ａ間に取っ手３の頂部３ａ近傍の湾曲部３ｂを挟んで回り止めを行う。このため、ペール缶１の缶本体２内に液体を満たした状態で搬送するときでも作業者が上記着脱式グリップ１０の握り部１１を手ｍで握って搬送すれば苦痛を感じることなく容易に搬送することができる。また、着脱式グリップ１０が取っ手３に装着された状態のまま揺動ないし回動することはないので、缶本体２内の液体を零さずに搬送することができる。その上、搬送途中又は搬送後に作業者がグリップ１０から手ｍを離したときでもグリップ１０が取っ手３から外れることはないので、グリップ１０が缶本体２内の液体中などに落下したり、地面などに落下して紛失したりすることもない。
【００２３】
特に、上記第１の実施形態の場合、着脱式グリップ１０の各係合部１３，１４が握り部１１の内側を仕切る仕切壁１３ａ，１４ａに形成した係合溝１３ｂ，１４ｂからなり、この係合溝１３ｂ，１４ｂは、その上方の開放側に溝幅が他の部位より小さい絞り部１３ｃ，１４ｃを有し、この絞り部１３ｃ，１４ｃでの溝幅Ｂは、取っ手３を構成する針金の直径Ｄよりも若干小さく設定されているため、係合溝１３ｂ，１４ｂに取っ手３を嵌め込んで取り付けられた着脱式グリップ１０が自然に取っ手３から外れることはない反面、作業者が着脱式グリップ１０を取っ手３から外すときにはそれ程大きな力でなくても容易に取り外すことができる。その上、仕切壁１３ａ，１４ａの上縁に、係合溝１３ｂ，１４ｂの絞り部１３ｃ，１４ｃに近付くに従って下向きに傾斜する一対の傾斜縁１３ｄ，１３ｄ又は１４ｄ，１４ｄが形成されているため、着脱式グリップ１０の各係合部１３，１４の係合溝１３ｂ，１４ｂに取っ手３を嵌め込んでグリップ１０の装着を行うとき上記一対の傾斜縁１３ｄ，１３ｄ又は１４ｄ，１４ｄがガイド機能を発揮して係合溝１３ｂ，１４ｂに対する取っ手３の嵌め込みひいてはグリップ１０の装着を円滑に行うことができる。
【００２４】
また、上記握り部１１の内側に、上記２個所の係合部１４，１４同士の間で略等間隔に３つの補強用の仕切壁１５，１６，１５が形成され、この各仕切壁１５，１６に、それぞれ握り部１１内に嵌め込まれた取っ手３の頂部３ａとの干渉を避けるためのＵ字状溝１７が形成されているため、握り部１１内への取っ手の嵌め込みに支障を来すことなく、握り部１１の強度を実施上有効に高めることができる。
【００２５】
図８ないし図１１は本発明の第２の実施形態に係る着脱式グリップ３０を示す。この着脱式グリップ３０は、第１の実施形態に係る着脱式グリップ１０の場合と同じく全体が合成樹脂からなるものであって、正面視が水平に細長く延びた形状でかつ縦断面がＵ字状に形成され、取っ手３の頂部３ａ(図２参照)が嵌り込み可能な握り部３１と、この握り部３１の両端からそれぞれ下方に張り出す半漏斗形状に形成され、上記取っ手３の頂部３ａ近傍の湾曲部３ｂ(図２参照)を挟んで回り止めを行う一対の下がり部３２，３２と、上記握り部１１の長手方向の互いに異なる２個所にそれぞれ３つずつ計６つ形成され、握り部１１内に嵌め込まれた取っ手３の頂部３ａと抜け止め状態に係合する係合部３３，３３，…とを備えている。
【００２６】
上記握り部３１は、第１の実施形態に係る着脱式グリップ１０の場合のそれと異なり、下縁のみならず、上縁も両端を除く部分で水平に延びた形状に形成されている。また、上記各下がり部３２は、図１２に拡大詳示するように、下端に底部３２ａを有し、第１の実施形態に係る着脱式グリップ１０の場合の如く左右の側壁３２ｂ，３２ｂ間に取っ手３の頂部３ａ近傍の湾曲部３ｂを挟むことができない代わりに、内側に形成した左右一対のＬ字形の挟持部３２ｃ，３２ｃ間に取っ手３の頂部３ａ近傍の湾曲部３ｂを挟んで回り止めを行うようになっている。  
【００２７】
さらに、上記各係合部３３は、図１２及び図１３に拡大詳示するように、第１の実施形態に係る着脱式グリップ１０の場合のそれと同じく握り部３１の内側を長手方向に仕切る仕切壁３３ａに対し上方に開放する係合溝３３ｂを形成したものであり、この各係合部３３の係合溝３３ｂは、開放側に溝幅が他の部位より小さい絞り部３３ｃを有している。この絞り部３３ｃでの溝幅Ｂは、取っ手３を構成する針金の直径Ｄよりも若干小さく（Ｂ＜Ｄ）設定されている。各係合部３３の仕切壁３３ａの上縁には、それぞれ係合溝３３ｂの絞り部３３ｃに近付くに従って下向きに傾斜する一対の傾斜縁３３ｄ，３３ｄが形成されている。尚、各係合部３３の高さ寸法は、握り部３１の上縁が水平に形成されていることに伴い、全て同一に設定されている。
【００２８】
そして、上記着脱式グリップ３０においても、着脱式グリップ３０がペール缶１の取っ手３に装着されるときには、着脱式グリップ３０の握り部３１内に取っ手３の頂部３ａが嵌め込まれ、この握り部３１の２個所に３つずつ計６つ形成した係合部３３，３３，…がそれぞれ取っ手３の頂部３ａと抜け止め状態に係合するとともに、着脱式グリップ３０の握り部３１両端の一対の下がり部３２，３２がそれぞれ左右の挟持部３２ｃ，３２ｃ間に取っ手３の頂部３ａ近傍の湾曲部３ｂを挟んで回り止めを行う。このため、ペール缶１の缶本体２内に液体を満たした状態で搬送するときでも作業者が上記着脱式グリップ３０の握り部３１を手で握って搬送すれば苦痛を感じることなく容易に搬送することができる。また、着脱式グリップ３０が取っ手３に装着された状態のまま揺動ないし回動することはないので、缶本体２内の液体を零さずに搬送することができる。その上、搬送途中又は搬送後に作業者がグリップ３０から手を離したときでもグリップ３０が取っ手３から外れることはないので、グリップ３０が缶本体２内の液体中などに落下したり、地面などに落下して紛失したりすることもない。
【００２９】
また、上記着脱式グリップ３０の各係合部３３が握り部３１の内側を仕切る仕切壁３３ａに形成した係合溝３３ｂからなり、この係合溝３３ｂは、その上方の開放側に溝幅が他の部位より小さい絞り部３３ｃを有し、この絞り部３３ｃでの溝幅Ｂは、取っ手３を構成する針金の直径Ｄよりも若干小さく設定されているため、係合溝３３ｂに取っ手３を嵌め込んで取り付けられた着脱式グリップ３０が自然に取っ手３から外れることはない反面、作業者が着脱式グリップ３０を取っ手３から外すときにはそれ程大きな力でなくても容易に取り外すことができる。その上、仕切壁３３ａの上縁に、係合溝３３ｂの絞り部３３ｃに近付くに従って下向きに傾斜する一対の傾斜縁３３ｄ，３３ｄが形成されているため、着脱式グリップ３０の各係合部３３の係合溝３３ｂに取っ手３を嵌め込んでグリップ３０の装着を行うとき上記一対の傾斜縁３３ｄ，３３ｄがガイド機能を発揮して係合溝３３ｂに対する取っ手３の嵌め込みひいてはグリップ３０の装着を円滑に行うことができる。
【００３０】
尚、本発明は上記第１及び第２の実施形態に限定されるものではなく、その他種々の形態を包含するものである。例えば上記第１の実施形態では、着脱式グリップ１０の握り部１１内に嵌め込まれた取っ手３の頂部３ａと抜け止め状態に係合する係合部１３，１４を、握り部１１の長手方向の互いに異なる２個所に２つずつ計４つ形成し、第２の実施形態では、係合部３３を、握り部１１の長手方向の互いに異なる２個所に３つずつ計６つ形成したが、本発明は、握り部１１の長手方向の２個所に１つずつ形成したり、あるいは握り部１１の長手方向の互いに異なる３個所以上に１つずつ、又は２つ若しくは３つずつ形成したりしてもよい。
【００３１】
また、上記実施形態では、本発明をペール缶１に適用した場合について述べたが、本発明は、このペール缶１に限らず、例えば容器本体が合成樹脂からなり、取っ手が針金からなる容器にも同様に適用することができる。
【符号の説明】
【００３２】
３    取っ手
３ａ  頂部
３ｂ  湾曲部
１０，３０    着脱式グリップ
１１，３１    握り部
１２，３２    下がり部
１３，１４，３３    係合部
１３ａ，１４ａ，３３ａ    仕切壁
１３ｂ，１４ｂ，３３ｂ    係合溝
１３ｃ，１４ｃ，３３ｃ    絞り部
１３ｄ，１４ｄ，３３ｄ    傾斜縁
１５，１６    補強用の仕切壁
１７    Ｕ字状溝
Ｂ    絞り部での溝幅
Ｄ    針金の直径
【図１】
2012218770.tif 000003
【図２】
2012218770.tif 000004
【図３】
2012218770.tif 000005
【図４】
2012218770.tif 000006
【図５】
2012218770.tif 000007
【図６】
2012218770.tif 000008
【図７】
2012218770.tif 000009
【図８】
2012218770.tif 000010
【図９】
2012218770.tif 000011
【図１０】
2012218770.tif 000012
【図１１】
2012218770.tif 000013
【図１２】
2012218770.tif 000014
【図１３】
2012218770.tif 000015